(57)【要約】【課題】既存屋根を容易かつ安価に融雪用屋根とすることのできる融雪屋根の施工方法と、この施工方法によって施工される省エネで熱効率の高い融雪屋根を提供することを目的とする。【解決手段】断熱材をコーティングした既存屋根上に線状発熱体を敷設した後、当該既存屋根と同形同色で、かつ裏面にカーボンパウダーがコーティングされた保護カバーによって既存屋根上面を被覆することとする。【選択図】図１
2007217905.tif 000002
【特許請求の範囲】
【請求項１】
既存の屋根に断熱材をコーティングした上で、該屋根上に線状発熱体を一定間隔蛇行状に敷設するとともに、既存屋根と同形同色の保護用カバーであって裏面をカーボンパウダーでコーティングしたもので前記既存屋根上面を覆うことを特徴とする省エネ融雪屋根の施工方法
【請求項２】
屋根上面には断熱材がコーティングされ、該屋根上に線状発熱体が一定間隔蛇行状に敷設されるとともに、既存屋根と同形同色の保護用カバーであって裏面をカーボンパウダーでコーティングしたもので前記既存屋根上面が被覆されて構成されることを特徴とする請求項１記載の施工方法によって施工される省エネ融雪屋根。
【発明の詳細な説明】
【技術分野】
【０００１】
本発明は、既存の屋根を省エネの融雪屋根に低コストで容易にすることのできる省エネ屋根電気融雪工法に関するものである。
【背景技術】
【０００２】
従来、降雪地方の家屋の屋根には、全体を軽くする為に金属製鋼板が主に使用されている。その形状も横葺き工法や立形瓦棒工法が多く用いられている。これらの屋根の融雪工法としては、屋根表面に一定間隔でパイプを敷設し、ボイラーを用いて加温した不凍液等をパイプ内に循環させて融雪を行っている。
【０００３】
しかしながら、このような融雪方法では、地上に設置されるボイラーと屋根との距離が長く、また屋根に付設した循環パイプの距離も長いため、加温された不凍液がパイプ内を循環する間に温度の７０％が損失してしまうことになる。このため、不凍液の温度を保つために、一日中ボイラーを稼動する必要があった。
【発明の開示】
【発明が解決しようとする課題】
【０００４】
解決しようとする課題は、熱ロスの少なく熱効率の高い屋根融雪装置であって、外観上も美感を有し、しかも既存の屋根に低コストで設置することのできる融雪屋根の施工方法とその融雪屋根を提供することを目的とするものである。
【課題を解決するための手段】
【０００５】
上記目的を達成するために、本発明に係る融雪屋根の施工方法は、既存の屋根に断熱材をコーティングした上で、該屋根上に線状発熱体を一定間隔蛇行状に敷設するとともに、既存屋根と同形同色の保護用カバーであって裏面をカーボンパウダーでコーティングしたもので前記既存屋根上面を被覆することを特徴とするものである。
【０００６】
また、本発明に係る融雪屋根は、前記工法によって施工される融雪屋根であって、屋根上面には断熱材がコーティングされ、該屋根上に線状発熱体が一定間隔蛇行状に敷設されるとともに、既存屋根と同形同色の保護用カバーであって裏面をカーボンパウダーでコーティングしたもので前記既存屋根上面が被覆されて構成されることを特徴とするものである。
【発明の効果】
【０００７】
本発明の融雪屋根の施工方法によれば、断熱材がコーティングされた屋根上面に線状発熱体を敷設し、該屋根を裏面がカーボンパウダーでコーティングされた保護カバーで被覆することから、既存の屋根を容易かつ安価に融雪屋根とすることが可能であり、また外観上の美観を損なうこともなく、さらに熱効率の高い融雪屋根を提供することが可能である。
【０００８】
また、本発明の施工方法による融雪屋根は、保護カバーによって線状発熱体が保護されて断線等の故障を防止するとともに、保護カバーにコーティングされたカーボンパウダーから発生する遠赤外線の効果により、熱効率の高い融雪が可能である。
【発明を実施するための最良の形態】
【０００９】
既存屋根を、容易かつ安価に、熱効率の高い融雪屋根とするという目的を、既存屋根上に断熱材をコーティングした上で、該屋根上に線状発熱体を一定間隔蛇行状に敷設するとともに、既存屋根と同形同色の保護用カバーであって裏面をカーボンパウダーでコーティングしたもので屋根上面を覆うことで実現した。
【実施例１】
【００１０】
以下、図面を参照して本発明の実施例について詳細に説明する。図１は本発明に係る融雪屋根の実施例を示した一部切欠斜視図であり、図２は図１の融雪屋根の断面図であり、図３は既存屋根上に線状発熱体を敷設した状態を示した斜視図である。
【００１１】
本発明に係る融雪屋根は、既存屋根１上に断熱材４をコーティングした後、該既存屋根１上に線状発熱体２を、好ましくは電熱ヒータであるが、一定間隔おいた蛇行状に敷設するとともに、既存屋根１を保護カバー３で被覆した構成としている。
【００１２】
断熱材４としては、種々の既存屋根の形状に施工することを考慮すると、シリコン樹脂等の塗料型断熱材がもっとも適しており、この断熱材４を屋根１上に塗布することで、屋根１からの冷却効果を防止するとともに、線状発熱体２から発生する熱のロスを減少させることができる。尚、屋根の形状に合わせ、塗料型断熱材に限らず、シート状の断熱材を使用してもよい。
【００１３】
保護カバー３の表面は、既存屋根と同色同形状のものとし、また裏面にはカーボンパウダー５がコーティングされている。したがって、該保護カバー３は、線状発熱体２を保護するとともに、線状発熱体２から発生する熱が裏面のカーボンパウダー５に伝えられることで、大量の遠赤外線が発生することになる。この遠赤外線は、互いに分子振動を発生させることで熱エネルギーを増加させるため、温度のみに頼る融雪に比べて効率のよい融雪が可能となる。また、該保護カバー３は、既存屋根１と同色同形状であることから外観上の美観を損なうこともない。
【００１４】
融雪の方法としては、まず線状発熱体２に通電することで放熱がなされ、この放熱された熱が保護カバー３に塗布されたカーボンパウダー５に伝わると遠赤外線が発生する。この遠赤外線は、雪や氷に直接浸透し、その分子に作用して分子振動を促進する。この分子振動が熱エネルギーに変換されることで融雪が行われる。遠赤外線による融雪は、雪や氷に遠赤外線が直接作用する為に、熱の損失が極めて少なく、発熱のみによる融雪に比べ熱効率が極めて高い。したがって、発熱体の熱のみによる融雪に比べると、約３分の１程度の消費電力で融雪することが可能である。
【００１５】
本実施例において、既存屋根１は平葺屋根としているが、種々の屋根において本発明は実施可能である。例えば棒葺屋根の場合は、棒部分に沿って線状発熱体２を蛇行状に配置した上で保護カバー３により被覆してもよい。
【００１６】
また、線状発熱体２には制御部を設けるとともに、本発明の融雪屋根に温度センサや降雪センサ等の種々のセンサを付設し、これらのセンサの検知情報に基づいて、制御部によって線状発熱体２への通電を制御する構成とすれば、より効率のよい融雪が可能となる。
【産業上の利用可能性】
【００１７】
本発明は、上記実施例に限定されるものではなく、保護カバーを既存屋根の形状や色に応じて施工されるものであるから、種々の既存の屋根であっても、容易かつ安価に施工できるものであり、しかも熱効率の高い融雪屋根を提供することができる。
【図面の簡単な説明】
【００１８】
【図１】本発明の融雪屋根の一実施例を示した一部切欠斜視図である。
【図２】図１の融雪屋根の断面図である。
【図３】既存屋根上に線状発熱体を敷設した状態を示した斜視図である。
【符号の説明】
【００１９】
１    屋根
２    線状発熱体
３    保護カバー
４    断熱材
５    カーボンパウダー
【図１】
2007217905.tif 000003
【図２】
2007217905.tif 000004
【図３】
2007217905.tif 000005